(57)【特許請求の範囲】
【請求項１】
電気ギターのボディ上面にトレモロ操作に応じて回動可能に支持されたベースプレートと、
該ベースプレート上に設けられ、同ベースプレートに対して弦の張設方向に位置調節可能に支持されたサドル保持部材と、
該サドル保持部材上に設けられ、前端部が同サドル保持部材に対して回動可能に連結されるとともに当該回動の回動軸を中心とする円筒面に円弧状に弦の臨界接触点が形成され、かつ、前記回動軸を中心に上下方向に回動可能に後部がナットと反対方向に延設されたサドルと、
該サドルに設けられ、前記臨界接触点より下方で前記弦を保持する保持手段と、
前記ベースプレート側に設けたネジ孔に螺合されたファインチューニングボルトを備え、当該ファインチューニングボルトの頭部により前記サドルの後端部が上下方向に位置調整可能に係止され、前記チューニングボルトを回動することで前記サドルの回動角を変更して前記臨界接触点の位置を実質的に変更することなく弦の調弦を行うようにしたファインチューニング手段と、
前記サドル保持部材を弦の張設方向に位置調整することで前記サドルの臨界接触点をベースプレートに対して弦の張設方向に位置調整するハーモニック調弦手段とを備えた電気ギターのトレモロ装置であって、
前記ハーモニック調弦手段は、前記ファインチューニングボルトよりナットと反対方向にハーモニック調弦ボルトが配置され、当該ハーモニック調弦ボルトは、前記サドル保持部材の後端延長部に設けた軸受のネジ孔に対し弦の張設方向にナットと反対方向から螺合され、かつ先端部が前記ファインチューニングボルトのロッド部外周面に当接され、
前記保持手段により弦を保持した状態のまま前記ハーモニック調弦ボルトを回動させてハーモニック調弦操作をベースプレートの上方で行う操作部を備えている電気ギターのトレモロ装置。
【請求項２】
前記ベースプレートにはネジ穴が形成された取付板が下面に取り付けられるとともに、前記ファインチューニングボルトのロッド部の外周面を案内する案内孔が形成され
前記ファインチューニングボルトは、前記取付板に螺入されるとともに前記案内穴にロッド部の外周面を案内される請求項１に記載の電気ギターのトレモロ装置。
【請求項３】
電気ギターのボディ上面にトレモロ操作に応じて回動可能に支持されたベースプレートと、
該ベースプレート上に設けられ、同ベースプレートに対して弦の張設方向に位置調節可能に支持されたサドル保持部材と、
該サドル保持部材上に設けられ、前端部が同サドル保持部材に対して回動可能に連結されるとともに当該回動の回動軸を中心とする円筒面に円弧状に弦の臨界接触点が形成され、かつ、前記回動軸を中心に上下方向に回動可能に後部がナットと反対方向に延設されたサドルと、
該サドルに設けられ、前記臨界接触点より下方で前記弦を保持する保持手段と、
前記ベースプレート側に設けたネジ孔に螺合されたファインチューニングボルトを備え、当該ファインチューニングボルトの頭部により前記サドルの後端部が上下方向に位置調整可能に係止され、前記チューニングボルトを回動することで前記サドルの回動角を変更して前記臨界接触点の位置を実質的に変更することなく弦の調弦を行うようにしたファインチューニング手段と、
前記サドル保持部材を弦の張設方向に位置調整することで前記サドルの臨界接触点をベースプレートに対して弦の張設方向に位置調整するハーモニック調弦手段とを備えた電気ギターのトレモロ装置であって、
前記ファインチューニング手段は、前記ベースプレートの上面に一体的に形成されたボス部のネジ孔に螺合されたファインチューニングボルトであって、
前記ハーモニック調弦手段は、前記ファインチューニングボルトよりナットと反対方向にハーモニック調弦ボルトが配置され、当該ハーモニック調弦ボルトは、前記サドル保持部材の後端延長部に設けた軸受のネジ孔に対し弦の張設方向にナットと反対方向から螺合され、かつ先端部が前記ボス部の外周面に当接され、
前記保持手段により弦を保持した状態のまま前記ハーモニック調弦ボルトを回動させてハーモニック調弦操作をベースプレートの上方で行う操作部を備えている電気ギターのトレモロ装置。
【請求項４】
前記サドル保持部材の後端部には弦の張設方向にナットと反対方向に開放したスロットが形成され、
当該スロットに前記ファインチューニングボルトが挿入されている請求項１〜３のいずれか一項に記載の電気ギターのトレモロ装置。
【請求項５】
請求項１〜４のいずれか一項に記載のトレモロ装置を備えた電気ギター。
【発明の詳細な説明】
【０００１】
【発明の属する技術分野】
本発明は、電気ギターのトレモロ装置及び電気ギターに関する。
【０００２】
【従来の技術】
トレモロ装置を備えた電気ギターでは、トレモロ演奏時の弦の張力（ピッチ）の変化に起因する音程（調弦状態）の狂いを防ぐようになっている。例えば、ＵＳＰ第４１７１６６１号公報に記載の電気ギターでは、ボディ面のトレモロ装置のサドル部分においてボルト及び押さえ部材により弦がロックされている。ヘッド部寄りのナット部分にも弦を固定する弦固定部材が設けられている。そのため、トレモロ演奏を行っても調弦が狂いにくい。しかし、ナット部分で弦がロックされている場合は、糸巻きでの調弦が困難になるため、弦をナット部分でロックした後でも微調弦（ファインチューニング）が可能なように、前記サドル部分にファインチューニング装置が設けられている。又、トレモロ装置には前記サドル部分における弦の臨界接触点を張弦方向に位置調節するためのハーモニック調弦手段も設けられている。
【０００３】
図１０はハーモニック調弦手段を備えたトレモロ装置を示す。この装置においては、ボディ１２の上部にヒンジ機構２２を介してベースプレート２３が上下方向の回動可能に装着されている。ベースプレート２３にはサドル保持部材３５が前後方向の往復動可能に支持されている。このサドル保持部材３５にはサドル３７がピン３８により上下方向の往復回動可能に支持されている。
【０００４】
前記サドル３７には前記弦１５をクランプするクランプパッド３９が支持されている。前記サドル３７には弦固定用ボルト４０が螺合され、クランプパッド３９を弦１５側に押圧して弦１５をクランプするようになっている。前記ベースプレート２３の後端部にはファインチューニングボルト４２が螺合されている。このボルト４２によって前記弦固定用ボルト４０を上下動することによりサドル３７をピン３８を中心に回動し、弦１５のファインチューニングを行うようになっている。前記サドル保持部材３５の後端部にはネジ孔６１が形成され、前記ベースプレート２３の後端部に形成した軸受３５ｅにはハーモニック調弦ボルト４９が貫通されている。このハーモニック調弦ボルト４９を前記ネジ孔６１に螺合することにより、サドル保持部材３５の前後方向の位置調節を行い、ハーモニック調弦を行うようになっている。
【０００５】
【発明が解決しようとする課題】
ところが、従来のトレモロ装置においては、前記サドル保持部材３５を前後方向に移動させるハーモニック調弦ボルト４９がボディ１２の上面よりも下方に配置されていた。このため、ハーモニック調弦ボルト４９を回動操作しようとする場合には、トレモロアーム（図示略）によりベースプレート２３をヒンジ機構２２を中心に反時計回り方向に傾動する。そして、ハーモニック調弦ボルト４９をボディ１２の上面側に配置した状態で行う必要があり、ハーモニック調弦動作が非常に面倒であるという問題があった。
【０００６】
本発明の目的は、上記課題を解決するため、弦を調弦状態に保持したままハーモニック調弦を行うことができる電気ギターのトレモロ装置及び電気ギターを提供することにある。
【０００７】
【課題を解決するための手段】
上記問題点を解決するために、請求項１に記載の発明は、電気ギターのボディ上面にトレモロ操作に応じて回動可能に支持されたベースプレートと、該ベースプレート上に設けられ、同ベースプレートに対して弦の張設方向に位置調節可能に支持されたサドル保持部材と、該サドル保持部材上に設けられ、前端部が同サドル保持部材に対して回動可能に連結されるとともに当該回動の回動軸を中心とする円筒面に円弧状に弦の臨界接触点が形成され、かつ、前記回動軸を中心に上下方向に回動可能に後部がナットと反対方向に延設されたサドルと、該サドルに設けられ、前記臨界接触点より下方で前記弦を保持する保持手段と、前記ベースプレート側に設けたネジ孔に螺合されたファインチューニングボルトを備え、当該ファインチューニングボルトの頭部により前記サドルの後端部が上下方向に位置調整可能に係止され、前記チューニングボルトを回動することで前記サドルの回動角を変更して前記臨界接触点の位置を実質的に変更することなく弦の調弦を行うようにしたファインチューニング手段と、前記サドル保持部材を弦の張設方向に位置調整することで前記サドルの臨界接触点をベースプレートに対して弦の張設方向に位置調整するハーモニック調弦手段とを備えた電気ギターのトレモロ装置であって、前記ハーモニック調弦手段は、前記ファインチューニングボルトよりナットと反対方向にハーモニック調弦ボルトが配置され、当該ハーモニック調弦ボルトは、前記サドル保持部材の後端延長部に設けた軸受のネジ孔に対し弦の張設方向にナットと反対方向から螺合され、かつ先端部が前記ファインチューニングボルトのロッド部外周面に当接され、前記保持手段により弦を保持した状態のまま前記ハーモニック調弦ボルトを回動させてハーモニック調弦操作をベースプレートの上方で行う操作部を備えていることを要旨とする。
【０００８】
請求項２に記載の発明は、請求項１において、前記ベースプレートにはネジ穴が形成された取付板が下面に取り付けられるとともに、前記ファインチューニングボルトのロッド部の外周面を案内する案内孔が形成され前記ファインチューニングボルトは、前記取付板に螺入されるとともに前記案内穴にロッド部の外周面を案内されることを要旨とする。
【０００９】
請求項３に記載の発明は、電気ギターのボディ上面にトレモロ操作に応じて回動可能に支持されたベースプレートと、該ベースプレート上に設けられ、同ベースプレートに対して弦の張設方向に位置調節可能に支持されたサドル保持部材と、該サドル保持部材上に設けられ、前端部が同サドル保持部材に対して回動可能に連結されるとともに当該回動の回動軸を中心とする円筒面に円弧状に弦の臨界接触点が形成され、かつ、前記回動軸を中心に上下方向に回動可能に後部がナットと反対方向に延設されたサドルと、該サドルに設けられ、前記臨界接触点より下方で前記弦を保持する保持手段と、前記ベースプレート側に設けたネジ孔に螺合されたファインチューニングボルトを備え、当該ファインチューニングボルトの頭部により前記サドルの後端部が上下方向に位置調整可能に係止され、前記チューニングボルトを回動することで前記サドルの回動角を変更して前記臨界接触点の位置を実質的に変更することなく弦の調弦を行うようにしたファインチューニング手段と、前記サドル保持部材を弦の張設方向に位置調整することで前記サドルの臨界接触点をベースプレートに対して弦の張設方向に位置調整するハーモニック調弦手段とを備えた電気ギターのトレモロ装置であって、前記ファインチューニング手段は、前記ベースプレートの上面に一体的に形成されたボス部のネジ孔に螺合されたファインチューニングボルトであって、
前記ハーモニック調弦手段は、前記ファインチューニングボルトよりナットと反対方向にハーモニック調弦ボルトが配置され、当該ハーモニック調弦ボルトは、前記サドル保持部材の後端延長部に設けた軸受のネジ孔に対し弦の張設方向にナットと反対方向から螺合され、かつ先端部が前記ボス部の外周面に当接され、前記保持手段により弦を保持した状態のまま前記ハーモニック調弦ボルトを回動させてハーモニック調弦操作をベースプレートの上方で行う操作部を備えていることを要旨とする。
【００１０】
請求項４に記載の発明は、請求項１〜３のいずれか一項において、前記サドル保持部材の後端部には弦の張設方向にナットと反対方向に開放したスロットが形成され、当該スロットに前記ファインチューニングボルトが挿入されていることを要旨とする。
【００１１】
請求項５に記載の発明は、請求項１〜４のいずれか一項に記載のトレモロ装置を備えた電気ギターを要旨とする。
【００１７】
【発明の実施の形態】
以下、本発明を具体化した電気ギターのトレモロ装置を備えた電気ギターの一実施形態を図１〜図５に従って説明する。
【００１８】
図５は、電気ギター１１全体を上面側から見た図である。図５において紙面手前側を電気ギター１１の上方、上側を前方とする。
電気ギター１１は、ソリッドタイプのボディ１２と、ボディ１２から前方に延設されたネック１３を備える。ネック１３前端のヘッド部１４には、弦１５を巻き取る６本の弦柱１６が上方に回動可能に突設されている。それぞれの弦柱１６の背面には図示しないギヤ機構を有し、かつヘッド部１４から突設された糸巻き１７が備えられ、弦柱１６が回動されようになっている。この弦柱１６、ギヤ機構、糸巻き１７によりそれぞれの弦１５のピッチ（張力）が調整されて張弦される。又、ネック１３の先端部に設けたナット１８には弦１５が第１臨界接触されている。ナット１８に対し弦１５は上方から固定されている。弦１５を上方から、押さえ部材で押さえ、ボルトでナット１８に締め付けるロッキングナットの構成としている。
【００１９】
ボディ１２には中央やや後方側に、トレモロ装置２１が配設されている。前記ナット１８で第１臨界接触し、トレモロ装置２１で第２臨界接触された６本の弦１５は、所定の張力で相互に略平行に張架される。ボディ１２には弦の振動を検出し、電気信号に変換するピックアップが配置されている。このピックアップに生じた電気信号は、ケーブル（図示略）を介してアンプリファイアーで増幅されて音声に変換される。
【００２０】
次に、前記トレモロ装置２１の概略構成を分解斜視図の図４により説明する。このトレモロ装置２１はボディに対しヒンジ機構２２により回動可能に装着されるベースプレート２３と、ベースプレート２３の上面に装着され、かつ前記各弦１５を支持するためのブリッジサドル２４とを備えている。又、トレモロ装置２１は前記ベースプレート２３を弦１５に張力が付与される方向に回動付勢するための張力付与機構２５と、さらに前記ベースプレート２３に設けられ、前記ベースプレート２３をヒンジ機構２２を中心に回動するトレモロ操作機構２６とを備えている。
【００２１】
そこで、前記各機構について順次説明する。
前記ヒンジ機構２２は前記ベースプレート２３に対しスタッドボルト３１により固定されるブラケット２８と、該ブラケット２８の先端部に軸２９を介して連結したベアリング３０とを備えている。前記ベアリング３０はベースプレート２３の左右両側に一体形成した軸受２７の収容孔２７ａに嵌入される。
【００２２】
図１に示すように、前記ブリッジサドル２４を構成するサドル保持部材３５は、その先端部にスロット３５ａを備えている。該スロット３５ａから下方に挿通した固定ボルト３６を前記ベースプレート２３に設けたネジ孔２３ａに螺合することによりベースプレート２３上面の所定位置にサドル保持部材３５が固定されている。前記サドル保持部材３５には軸受３５ｂが一体に形成され、該軸受３５ｂにはサドル３７の先端部がピン３８により上下方向の回動可能に連結されている。前記サドル３７の上面にはクランプパッド３９が支持され、弦固定用ボルト４０によってサドル３７に向かって締め付け固定されている。この実施形態では前記クランプパッド３９及び弦固定用ボルト４０により弦１５の保持手段を構成している。前記サドル３７にはネジ孔３７ａが形成され、前記クランプパッド３９に貫通された弦固定用ボルト４０を螺合するようになっている。前記サドル３７の前端部には第２臨界接触点Ｚを形成する弦受け部３７ｂが設けられている。
【００２３】
前記クランプパッド３９は前記サドル３７の挟着面３７ｃとの間で弦１５を挟着する保持部３９ａと、前記サドル３７の支持面３７ｄに当接される支点３９ｂとを備えている。前記クランプパッド３９には弦固定用ボルト４０を緩く貫通する貫通孔３９ｃが設けられている。前記貫通孔３９ｃは前記保持部３９ａと支点３９ｂとの間に形成されている。前記クランプパッド３９の保持部３９ａとサドル３７に設けた挟着面３７ｃとの間に弦１５のエンドリングを除去した端部が挟着されている。前記クランプパッド３９と前記サドル３７との間には、前記クランプパッド３９を上方に付勢する弾性体としてのバネ４１が設けられている。このバネ４１は前記弦固定用ボルト４０に嵌装されたコイル状の圧縮バネである。
【００２４】
前記サドル３７の後端部にはスロット３７ｅが形成されている。前記スロット３７ｅにはファインチューニング手段としてのファインチューニングボルト４２のネジ部４２ａが下方に向って挿通され、上端部に設けた頭部４２ｂがスロット３７ｅの上端縁に係止されている。前記ベースプレート２３の後端部下面には取付板４３がビス４４によって取り付けられている。前記取付板４３には前記ファインチューニングボルト４２のネジ部４２ａを螺合するネジ孔４３ａが形成されている。前記ベースプレート２３には前記ファインチューニングボルト４２のロッド部４２ｃの外周面を案内する案内孔２３ｂが形成されている。又、前記板バネ４７を上方に導く貫通孔２３ｃが形成されている。
【００２５】
図２に示すように前記サドル保持部材３５のスロット３５ａはサドル保持部材３５の中心からその幅方向に所定距離Ｌだけオフセットされている。
なお、前記サドル保持部材３５の軸受３５ｂと軸受３５ｅの間の上面左右両側には、突条が一体に形成されている。前記サドル３７の下面の左右両側部は前記サドル保持部材３５の前記両突条に支持される段差部が切欠き形成されている。（図３，４参照）
次に、前記張力付与機構２５について説明する。
【００２６】
図１に示すように前記ベースプレート２３の下面にはトレモロブロック４５がボルト４６によって固定されている。前記ベースプレート２３の下面とトレモロブロック４５の上面との間には板バネ４７が締め付け固定され、その先端部が前記ベースプレート２３の貫通孔２３ｃを通して前記サドル３７の下面に押圧されている。これによりスロット３７ｅの上面がファインチューニングボルト４２の頭部４２ｂに押し付けられ、ノイズを防止する。又、ファインチューニングボルト４２の操作性を向上している。前記トレモロブロック４５の下面にはバネ４８の一端部が係止されている。バネ４８の他端部はボディの所定位置に固定したブラケットに係止されている。そして、前記両バネ４８によってトレモロブロック４５を図１において時計回り方向に回動付勢し、ベースプレート２３が軸２９（図４参照）を中心に同方向に回動され、ブリッジサドル２４に装着した各弦１５に張力が付与されるようになっている。
【００２７】
図４に基づいてトレモロ操作機構２６について説明する。
このトレモロ操作機構２６は、前記ベースプレート２３の一側部に下向きに貫通されるネジ筒５１と、その下端部に螺合され、ネジ筒５１をベースプレート２３に締付け固定するナット５２とを備えている。前記ネジ筒５１の内部にはトレモロアーム５３の先端屈曲部が取り外し可能に挿入されるようになっている。そして、前記トレモロアーム５３をネジ筒５１の内部に挿入した状態でトレモロアーム５３を上下方向に傾動する。この傾動によりトレモロ装置２１のベースプレート２３、ブリッジサドル２４及びトレモロブロック４５等がバネ４８の付勢力に抗して軸２９を中心に微量回動するようになっている。
【００２８】
次に、この発明の要部構成について説明する。
前記サドル保持部材３５の後端部はベースプレート２３の後端部側に延長して形成され、その後端延長部には前記ファインチューニングボルト４２を貫通するスロット３５ｃが形成されている。又、前記板バネ４７をサドル３７の下面へ導くためのスロット３５ｄが設けられている。前記サドル保持部材３５の後端部上面に一体形成した軸受３５ｅに形成したネジ孔３５ｆにはハーモニック調弦手段としてのハーモニック調弦ボルト４９のネジ部４９ａが螺合されている。ネジ部４９ａの先端面は前記ファインチューニングボルト４２のロッド部４２ｃの外周面に当接されている。そして、ハーモニック調弦ボルト４９の操作部４９ｂを回動操作すると、前記ネジ部４９ａの先端面がロッド部４２ｃによって位置規制されているので、サドル保持部材３５が前方又は後方に移動される。即ち、ボルト４９をロッド部４２ｃの外周面に向かって螺進させると、サドル保持部材３５が後方に引っ張られて弦１５の第２臨界接触点Ｚが後方に移動される。反対に、ボルト４９をロッド部４２ｃから螺退させると、サドル保持部材３５が弦１５の張力により前方に引っ張られて弦１５の第２臨界接触点Ｚが前方に移動される。
【００２９】
次に、前記のように構成した電気ギター１１のトレモロ装置２１についてその動作を説明する。
前記ブリッジサドル２４に連結された各弦１５の端部を弦１５の張設方向に第２臨界接触点Ｚの位置を実質的に変更することなくその張力を調節するには、ファインチューニングボルト４２の頭部４２ｂを指で回動操作する。頭部４２ｂによってサドル３７のスロット３７ｅの上端面が上下方向に移動される。このためサドル３７はピン３８を中心に時計回り方向又は反時計回り方向に回動され、弦１５の張力が調整される。
【００３０】
一方、前記第２臨界接触点Ｚを張弦方向に変更してハーモニック調弦を行うには、ナット１８のロックを解除し、固定ボルト３６を緩める。そして、ハーモニック調弦ボルト４９を回転させ、サドル保持部材３５を調弦方向にスロット３５ａを利用して往復動させると、ブリッジサドル２４のサドル３７の位置が調整される。この動作により弦１５のピッチが変化するので、この状態で弦柱１６を糸巻き１７によって回転させ、チューニングを行う。そのとき、ハーモニック調弦を行い、適正でなければ再度前述の動作を行う。適正であれば、固定ボルト３６を再び締め付けてサドル保持部材３５をベースプレート２３に固定する。その後、ナット１８で弦１５をロックする。さらに、ファインチューニングボルト４２を回動して弦１５のファインチューニングを行う。
【００３１】
次に、前記のように構成したトレモロ装置２１についてその効果を構成と共に列記する。
（１）前記実施形態では、サドル保持部材３５の後端部にネジ孔３５ｆを有する軸受３５ｅを設け、ハーモニック調弦ボルト４９をネジ孔３５ｆに螺合した。そのネジ部４９ａの先端をファインチューニングボルト４２のロッド部４２ｃの外周面に当接するようにした。又、前記ハーモニック調弦ボルト４９の操作部４９ｂをボディ１２の上面よりも上方に配置した。このため、弦１５を調弦状態に保持したまま操作部４９ｂを回動してサドル保持部材３５及びサドル３７等を前後方向に移動することができる。従って、ハーモニック調弦をトレモロ装置２１を回動することなく容易に行うことができる。
【００３２】
（２）前記実施形態では、ファインチューニングボルト４２のロッド部４２ｃの外周面にハーモニック調弦ボルト４９のネジ部４９ａの先端面を当接するようにした。このため、ボルト４９に二つの機能を兼用させることができ、部品点数を少なくして製造コストを低減することができる。
【００３３】
（３）前記実施形態では、ベースプレート２３にファインチューニングボルト４２のロッド部４２ｃの外周面を案内する案内孔２３ｂを設けた。このため、ロッド部４２ｃがハーモニック調弦ボルト４９によって押動されても、ファインチューニングボルト４２がネジ孔４３ａ内でガタつくのを防止することができる。
【００３４】
（４）前記実施形態では、サドル保持部材３５のスロット３５ａを幅方向にオフセットした。このため、固定ボルト３６のネジ孔２３ａに対するねじ込み動作を弦１５に干渉することなく行うことができる。
【００３５】
なお、前記実施形態は以下のように変更して具体化することもできる。
○  図６に示す別例は、ベースプレート２３の後端部に設けた軸受２３ｄに貫通孔２３ｅを形成している。そして、貫通孔２３ｅにハーモニック調弦ボルト４９を貫通してネジ部４９ａを前記ネジ孔３５ｆに螺合する。さらに、前記ファインチューニングボルト４２のネジ部４２ａをサドル保持部材３５の上面に一体形成したボス部３５ｇに設けたネジ孔３５ｈに螺合する。前記ハーモニック調弦ボルト４９を回動操作すると、サドル保持部材３５がファインチューニングボルト４２及びサドル３７と共に前方又は後方に移動される。前記サドル３７の後端部にはスロット３７ｅと対応して前記ボス部３５ｇとの干渉を回避する凹部３７ｆが形成されている。
【００３６】
この別例では、ハーモニック調弦ボルト４９の回動操作によってファインチューニングボルト４２が押圧されることはないので、ファインチューニング状態を適正状態に保持したままハーモニック調弦動作を容易に行うことができる。
【００３７】
○  図７に示す別例は、前記サドル３７の後端部に形成した軸受３７ｇのネジ３７ｈにハーモニック調弦ボルト４９のネジ部４９ａを螺合している。又、ネジ部４９ａの先端部をファインチューニングボルト４２のロッド部４２ｃの外周面に押圧するようにしている。
【００３８】
ハーモニック調弦ボルト４９を螺進方向に回動すると、ネジ部４９ａの先端部によってロッド部４２ｃの外周面が押圧され、その反力によりサドル３７が後方に移動され、弦１５の張力が増大する方向に移動される。そして、第２臨界接触点Ｚの位置が後方に変位され、ハーモニック調弦が行われる。
【００３９】
この別例も前述した実施形態と同様の効果を奏する。
○  図８及び図９に示す別例は、前記ベースプレート２３の上面に対し、円筒状のボス部２３ｆを一体的に形成している。このボス部２３ｆの内周面に形成されたネジ孔２３ｇに前記ファインチューニングボルト４２のネジ部４２ａを螺合している。前記サドル保持部材３５の後端部に一体的に形成された軸受３５ｅのネジ孔３５ｆにはハーモニック調弦ボルト４９のネジ部４９ａが螺合されている。このネジ部４９ａの先端部は、前記ボス部２３ｆの外周面に押圧されている。前記サドル３７の後端部にはスロット３７ｅと対応して前記ボス部２３ｆとの干渉を回避する凹部３７ｆが形成されている。
【００４０】
この別例においては、ハーモニック調弦ボルト４９を回動すると、その先端面がボス部２３ｆの外周面に押圧され、サドル保持部材３５の調弦方向の位置調整が行われる。この別例では、ファインチューニングボルト４２のロッド部４２ｃを直接押圧することはないので、該ボルト４２による調弦状態を安定して保持することができる。
【００４１】
○  前記ハーモニック調弦手段を、前記ベースプレート又はサドル保持部材とファインチューニング手段との間に設けてもよい。この場合ファインチューニング手段を構成するファインチューニングボルト等の操作部材を利用するのが望ましい。
【００４２】
○  前記ファインチューニング手段を、前記サドル保持部材とサドルとの間に設け、前記ハーモニック調弦手段を、前記サドル保持部材と前記ベースプレートとの間に設けてもよい。
【００４３】
次に、上記実施形態及び別例から把握できる技術的思想について追記する。
（技術思想）  請求項４又５において、前記ファインチューニングボルトの上部はサドルの後端部に形成されたスロット内に配置されている電気ギターのトレモロ装置。
【００４４】
このトレモロ装置では、ファインチューニングボルトとサドルの係合構造を簡素化することができる。
【００４５】
【発明の効果】
以上詳述したように、請求項１〜５記載の発明は弦を調弦状態に保持したままハーモニック調弦を行うことができる。
【００４６】
特に請求項１、２に記載の発明は、ハーモニック調弦手段の構成をファインチューニング手段の一部を利用しているので、ハーモニック調弦手段の構成を簡素化することができる。また、ファインチューニング手段とハーモニック調弦手段の構成をボルトにより安価に提供することができる。
【００４７】
また、請求項３に記載の発明では、ファインチューニングボルト４２のロッド部４２ｃを直接押圧することはないので、該ボルト４２による調弦状態を安定して保持することができる。
【図面の簡単な説明】
【図１】  この発明を具体化したトレモロ装置の縦断面図。
【図２】  ブリッジサドル及びハーモニック調弦手段の平面図。
【図３】  ブリッジサドル及びハーモニック調弦手段の分解斜視図。
【図４】  トレモロ装置の分解斜視図。
【図５】  電気ギターの正面図。
【図６】  この発明の別例を示す要部の断面図。
【図７】  この発明の別例を示すブリッジサドル及びハーモニック調弦手段の断面図。
【図８】  この発明の別例を示す要部の断面図。
【図９】  図８の平断面図。
【図１０】  従来のトレモロ装置の断面図。
【符号の説明】
１１…電気ギター、１２…ボディ、１５…弦、２１…トレモロ装置、２３…ベースプレート、２３ａ，２３ｇ，３５ｆ，３５ｈ，３７ａ，４３ａ…ネジ孔、２３ｂ…案内孔、２３ｄ，２７，３５ｂ，３５ｅ，３７ｇ…軸受、２３ｆ，３５ｇ…ボス部、３５…サドル保持部材、３５ａ，３５ｃ，３５ｄ，３７ｅ…スロット、３６…固定ボルト、３７…サドル、４２…ファインチューニングボルト、４２，４６，４９…ボルト、４２ｂ…頭部、４２ｃ…ロッド部、４９…ハーモニック調弦ボルト、４９ｂ…操作部。
【図１】
0003798707.tif 000002
【図２】
0003798707.tif 000003
【図３】
0003798707.tif 000004
【図４】
0003798707.tif 000005
【図５】
0003798707.tif 000006
【図６】
0003798707.tif 000007
【図７】
0003798707.tif 000008
【図８】
0003798707.tif 000009
【図９】
0003798707.tif 000010
【図１０】
0003798707.tif 000011